(57)【要約】  本発明は、底面（２）と、該底面（２）に回動可能に連結される複数の側面（３）と、を有する折畳みボックス（１）に関する。底面（２）は凹状又は凸状の第1の連結面（ａ）を有しており、少なくとも１つの側面（３）は、第１の連結面（ａ）と相互作用して少なくとも一つの側面（３）を底面（２）に連結する凸状又は凹状の第２の連結面（ｂ）を有している。本発明によれば、底面（２）は凹状又は凸状の第３の連結面（ｃ）を有しており、少なくとも一つの側面（３）は凸状又は凹状の第４の連結面（ｄ）を有している。第３の連結面及び第４の連結面（ｃ，ｄ）のうちの少なくとも一方は円筒形である。第３の連結面及び第４の連結面（ｃ，ｄ）は、底面（２）に対する少なくとも一つの側面（３）の褶動が、側面（３）の第１の回動位置において第２の方向（ｘ２）において可能であるとともに、第２の回動位置において防止されるように配列される。
2012532810.tif 000002
【特許請求の範囲】
【請求項１】
底面（２）及び該底面（２）に回動可能に連結される複数の側面（３）を備える折畳みボックス（１）であって、
-  前記底面（２）は凹状又は凸状の第１の連結面（ａ）を有しており、
-  少なくとも１つの側面（３）は、凸状又は凹状の第２の連結面（ｂ）を有しており、該第２の連結面（ｂ）は、前記少なくとも１つの側面（３）を前記底面（２）に接続するように前記第１の連結面（ａ）と協働するものであり、
-  前記第１の連結面及び前記第２の連結面（ａ，ｂ）のうちの少なくとも一方は、回転軸線（ｚ）回りに回動可能な円筒形であり、
-  前記第１の連結面及び前記第２の連結面（ａ，ｂ）は、前記底面（２）に対する前記少なくとも１つの側面（３）の変位動作が、前記回転軸線（ｚ）に対して直交する少なくとも１つの方向（ｘ１）において防止されるとともに、前記第１の方向（ｘ１）とは反対向きの第２の方向（ｘ２）において可能になるように配列されており、
-  前記底面（２）は凹状又は凸状の第３の連結面（ｃ）を有しており、
-  前記少なくとも１つの側面（３）は凸状又は凹状の第４の連結面（ｄ）を有しており、
-  前記第３の連結面及び前記第４の連結面（ｃ，ｄ）のうちの少なくとも一方は、前記回転軸線（ｚ）回りに回動可能な円筒形であり、
-  前記第３の連結面及び前記第４の連結面（ｃ，ｄ）は、前記底面（２）に対する前記少なくとも１つの側面（３）の変位動作が、前記側面（３）の第１の回動位置において可能であるとともに、第２の回動位置において防止されるように配列される、折畳みボックス（１）。
【請求項２】
前記第２の連結面及び前記第３の連結面（ｂ，ｃ）が凸状の円筒形である、請求項１に記載の折畳みボックス（１）。
【請求項３】
前記第１の連結面及び前記第４の連結面（ａ，ｄ）が凹状の円筒形である、請求項１又は２に記載の折畳みボックス（１）。
【請求項４】
凹状の前記第１の連結面（ａ）が１８０度の角度を包囲しており、凸状の前記第２の連結面（ｂ）が３６０度の角度を包囲しており、凸状の前記第３の連結面（ｃ）が１８０度の角度を包囲しており、凹状の前記第４の連結面（ｄ）が９０度の角度を包囲する、請求項１から３のいずれか１項に記載の折畳みボックス（１）。
【請求項５】
前記第１の連結面及び前記第２の連結面（ａ，ｂ）がロックされる、請求項１から４のいずれか１項に記載の折畳みボックス（１）。
【請求項６】
前記底面（２）に対して平行な前記第１の方向（ｘ１）が当該折畳みボックス（１）の内側から離れて向けられる、請求項１から５のいずれか１項に記載の折畳みボックス（１）。
【発明の詳細な説明】
【技術分野】
【０００１】
本発明は、底面と、該底面に回動可能に連結される複数の側面と、を備える折畳みボックスに関する。底面は凹状又は凸状の第１の連結面を有しており、少なくとも１つの側面は凸状又は凹状の第２の連結面を有している。第２の連結面は、少なくとも１つの側面を底面に連結するように第１の連結面と協働する。第１の連結面及び第２の連結面のうちの少なくとも一方は円筒形であり、回転軸線回りの回動を可能にする。第１の連結面及び第２の連結面は、底面に対する少なくとも１つの側面の移動が、回転軸線に対して直交する少なくとも１つの第１の方向において防止されるとともに、第１の方向と反対向きの第２の方向において可能であるように配列される。
【背景技術】
【０００２】
折畳みボックスは物体の輸送を実用的に補助する。それら折畳みボックスは、展開状態では上部において開口するボックス又はケースを形成するとともに、折畳み状態では平坦であり、したがって保管が容易である。このことは、固定型ボックスと比較して顕著に有利である。しかしながら、折畳みボックスの使用は制限されるか、又は避けられることさえある。なぜなら、それら折畳みボックスは固定型ボックスほど安定していないからである。さらに、複数の側面を互いに対してロックし、それによりボックスの破損を防止する公知のロック機構は信頼性を欠く場合が多く、又は非常に複雑な構造を有する。
【０００３】
例えば、持上げ可能な側面を有するプラスチックボックスが特許文献１により公知である。このボックスにおいては、持上げられた後に、側面延長部が側面をボックスの底面において外側から支持し、したがって、側面がボックス内側から押圧されるのを防止する。
【０００４】
特許文献１に開示される提案は、そのデザインゆえに、側面が完全に持上げられる場合においてのみ有効である。このことは、折畳みボックスの使用者が常に側面を完全に持上げるとは限らないし、又は使用中に側面を不意に僅かに折畳んでしまう場合があることから不利である。そして、従来技術において公知の機構においては、折畳みボックスがより不安定になるのでもはや有効ではない。
【先行技術文献】
【特許文献】
【０００５】
【特許文献１】欧州特許第１５６５３８２号明細書
【発明の概要】
【発明が解決しようとする課題】
【０００６】
したがって、本発明の目的は、不意に内向きに押圧されることからより良好に保護される折畳みボックスを提供することである。
【課題を解決するための手段】
【０００７】
本発明の目的は、前述したタイプの折畳みボックスにおいて、
-  底部が凹状又は凸状の第３の連結面を有し、
-  少なくとも１つの側面が凸状又は凹状の第４の連結面を有しており、
-  第３の連結面及び第４の連結面のうちの少なくとも一方が円筒形であり、回転軸線回りの回動を可能にしており、
-  第３の連結面及び第４の連結面が、少なくとも１つの側面の、底部に対する第２の方向における変位が、側面の第１の回動位置において可能であるとともに第２の回動位置においては防止されるように配列される、
折畳みボックスによって達成される。
【０００８】
本発明によれば、第３の連結面が底部に形成されるとともに、第４の連結面が側面に形成される。これら第３の連結面及び第４の連結面のうちの少なくとも一方は円筒形である。このようにして、側面を持ち上げる際に、第３の連結面及び第４の連結面が既に係合された状態になっていて、したがって、側面が押込められるのを防止できる。押込動作に対する保護は、従来技術の場合のように側面の端部位置のみならず、例えば折畳みボックスの使用者が誤って側面を完全には持ち上げなかったとき、又は使用時に側面を不意に僅かに折畳んだときにも有効である。また、本発明は、折畳みボックスの使用者が、意図的ではないにせよ折畳みボックスを必ずしも指示書又は説明書に従って使用するとは限らないという知見に基づいている。本発明に係る概ねより安定的な折畳みボックスは、折畳みボックスが広く使用されるとともに高価な商品の輸送に頻繁に使用されるのに伴って、従来技術に対して重要な貢献をもたらす。この場合にはボックスの破損は特に不都合であろう。
【０００９】
本発明の有利な実施形態及び発展形態は、従属請求項、及び図面とともに明細書に記載される。
第２の連結面及び第３の連結面が凸状の円筒形であると有利である。この場合、側面における１つの連結面及び底面における１つの連結面が凸状の円筒形である。このことは、製造上の観点からは比較的容易に達成され得る。なぜなら、回転式ボルトが側面にモールド成形可能であるとともに、湾曲部が底部にモールド成形可能であるからである。
【００１０】
また、第１の連結面及び第４の連結面が凹状の円筒形であることが有利である。
この場合、側面における連結面及び底面における連結面は、凹状の円筒形である。前述した変形例の形態を有するこの変形例は特に有利である。なぜなら、この場合は２つの円筒形の表面がそれぞれ互いに協働し、側面の回動を特に効果的に可能にするからである。
【００１１】
本発明のさらに有利な実施形態において、凹状の第１の連結面は１８０度の角度を、凸状の第２の連結面は３６０度の角度を、凸状の第３の連結面は１８０度の角度を、凹状の第４の連結面は９０度の角度を包囲している。この場合には、側面の連結ボルトが底面の半部シェルに配列されていると、側面が、その半分シェルによって底面に特に容易に連結され得るので、特に有利である。さらに、底面における半円面と協働する４分の１円弧の形状のタブなどによって、側面の押込みが防止される。当然ながら、示される数値は有利な指針にすぎず、本発明の思想から離れることなくこれら指針から逸脱する場合もある。構造的に決定される、より小さく逸脱する場合とは別に、第３の面が９０度の角度のみを包囲していてもよい。
【００１２】
また、第１の連結面及び第２の連結面がロックされると有利である。この場合、側面及び底面は永久的に一緒に連結されており、それにより、それら連結部は、顕著な力によってのみ解放され得るようになる。このロック作用は、例えば折畳みボックスの底面における半部シェルが１８０度よりも大きな角度を包囲することによって達成され得る。或いは、タブがこの目的のために形成されてもよい。側面のボルトが次いで半部シェル内に押し込まれる場合、半部シェルは、特定の力を上回ったときにその場所にロックされる。
【００１３】
底面に対して平行な第１の方向が折畳みボックスの内部から離れて向けられるのが特に有利である。本発明のこの変形例において、側面は、延在位置においてかつ折畳みボックスの内部の方向においては、半部シェルから滑り出ることができるのみである。側壁がこの位置に在る折畳みボックスは休止位置に在るとともに、この位置において対象物は一般的に移送されないので、側面が軸受から不意に滑り出ることによって、折畳みボックスの作用が特段損なわれることはない。
複数の前記実施形態及び発展形態は任意に組合せられ得る。
【図面の簡単な説明】
【００１４】
【図１】折畳みボックスの概略斜視図である。
【図２ａ】本発明に係る折畳みボックスの側面の１番目の変形例の詳細を示す側面図である。
【図２ｂ】本発明に係る折畳みボックスの底面の１番目の変形例の詳細を示す平面図である。
【図３ａ】側面と底面との間の連結部の１番目の変形例を示す第１の断面図である。
【図３ｂ】側面と底面との間の連結部の１番目の変形例を示す第２の断面図である。
【図３ｃ】側面と底面との間の連結部の１番目の変形例を示す第３の断面図である。
【図４】本発明に係る側面及び底面の連結部の２番目の変形例の断面図である。
【図５】本発明に係る側面及び底面の連結部の３番目の変形例の断面図である。
【図６】本発明に係る側面及び底面の連結部の４番目の変形例の断面図である。
【図７】本発明に係る側面及び底面の連結部の５番目の変形例の断面図である。
【図８】本発明に係る側面及び底面の連結部の６番目の変形例の断面図である。
【図９】本発明に係る側面及び底面の連結部の７番目の変形例の断面図である。
【発明を実施するための形態】
【００１５】
本発明のより良い理解のために、図面を参照しながら本発明をより詳細に説明する。
先ず最初に、様々に記載される例示的な実施形態において、同一の部分には同一の参照符号及び同一の名称が付与されており、それにより全体の記載を通して含まれる開示内容は、同一の参照符号及び同一の名称を有する同一の部分にも適用され得ることに留意されたい。また、説明に際して使用される位置に関する詳細、例えば上部、底部、側部などは、そのとき説明されて表される図面に関するものであり、位置が変更される場合には、新しい位置に対して調整されるべきである。またさらに、図示されるとともに説明される種々の例示的な実施形態の個々の特徴又は特徴の組合せは、それら自体が独立する解決手段又は発明的解決手段を表し得る。
【００１６】
ここで、例示的な実施形態は、本発明に係る折畳みボックスの可能な種々の実施形態を示しているものの、それによって、本発明は、示される種々の実施形態に特に限定されることはなく、むしろ種々の実施形態の個別の異なる様々な組合せも可能であり、この変更可能性は、技術的手法に係る教示に基づいて、当該技術分野における当業者の能力の範囲内に含まれることに留意されたい。したがって、図示されるとともに説明される種々の実施形態の個々の詳細を組み合わせることによって可能になる、考えられるすべての種々の実施形態も保護の範囲に含まれる。
【００１７】
図１は、底面２と、底面に揺動可能に連結される側面３と、を有する折畳みボックス１を示す概略的な斜視図である。矢印は、側面３が、どのように休止位置から動作的位置まで移動され得るかを表している。
【００１８】
図２ａから図３ｃは本発明の１番目の実施形態を示す。図２ａは、ここでは２つの連結ウェブによって取付けられるボルトである凸状の第２の円筒形の連結面ｂと、ここでは断面が湾曲した２つのタブである凹状の第４の円筒形の連結面ｄと、を有する側面３の断面の側面図を示す。
【００１９】
図２ｂは、ここではボルトを装着するための半部シェルである凹状の第１の円筒形の連結面ａと、ここでは断面半円の形態に形成される２つの軸受表面である凸状の第３の円筒形の連結面ｃと、を有する底面２の断面の平面図を示す。これら連結面ａ〜ｄは必ずしも連続している必要はなく、部分的な表面から形成されてもよいことが図面から分かる。
【００２０】
図３ａは、第１の連結面ａと第２の連結面ｂとの相互の関係を示す断面ＡＡを示しており、ここでは側面３のボルトが底面２の半部シェル内に在る。この場合、側面３は、折畳み位置、すなわち動作位置において示されている。側面３が底面２に対して第１の方向ｘ１には移動できないものの、反対向きの第２の方向ｘ２には移動できることが分かる。
【００２１】
図３ｂは、第１の円筒形の連結面ａの一部を示す断面ＢＢを示している。第１の円筒形の連結面ａは１８０度よりも大きい角度を包囲していて、したがって、側面３と底面２とのロック作用を保証する。
【００２２】
最後に、図３ｃは、第３の連結面ｃと第４の連結面ｄとの相互の関係を示す断面ＣＣを示しており、ここでは側面３のタブ及び底面２の軸受表面を示している。側面３は、次いで動作的位置において示されている。側面３は、この位置では第２の方向ｘ２において底面に対して変位され得ないことが明確に分かる。しかしながら、休止位置において、このことは非常に望ましい。この理由から、側面３は、側面３が持上げられるときに所定位置にロックされながら、展開位置（ｌｙｉｎｇ  ｐｏｓｉｔｉｏｎ）においてのみ装着され得る。
【００２３】
ここで、軸受クリアランスは、明確化のために図面において比較的大きく示されることに留意されたい。実際には、より幅狭の公差が可能であり、かつ有利である。また、すべての円筒形の連結面ａ〜ｄは共通の軸線Ｚを有する。このことは有利であるものの、僅かな偏差は許容され得る。
【００２４】
図４は継手連結部又はヒンジ連結部の２番目の変形例を示す。この場合、第１の連結面ａ及び第４の連結面ｄは凹状の円筒形であり、第２の連結面ｂ及び第３の連結面ｃは凸状の円筒形である。図２ａから図３ｃに示される配列とは異なり、ここでは、すべての連結面ａ〜ｄが１つの平面に配列される。当然ながらこのことは必須ではない。その代わりに、第１の連結面ａ及び第２の連結面ｂが１つの平面に配列されるとともに、第３の連結面ｃ及び第４の連結面ｄが別の平面に配列されてもよい。図４に示される配列体の作用は、図２ａから図３ｃに示されるものに非常に類似している。第３の連結面ｃのみが９０度の角度のみを包囲する。
【００２５】
図５は２番目の変形例に類似する３番目の変形例を示す。円筒形である代わりに、ここでは矩形の第１の連結面ａである第１の連結面ａが形成されており、これは、場合によっては製造上の観点から生産するのが容易である。第４の連結面ｄは、同様に円筒形ではなく矩形である。図５に示される配列体の作用は、全体として図４に示される配列体の作用に非常に類似している。
【００２６】
図６は２番目の変形例に類似する本発明の４番目の変形例を示す。この場合、円筒形の第２の連結面ｂの代わりに、矩形の第２の連結面ｂが形成される。第３の連結面ｃは、同様に円筒形ではなく矩形である。しかしながら、図６に示される配列体の作用は、図４に示される配列体の作用に非常に類似している。
【００２７】
図７は本発明の５番目の変形例を示す。５番目の変形例では、第１の連結面ａが上部に向かって開口している。したがって、側面３は、この変形例においては上部から装着される。側面３を折畳むと、第４の連結面ｄが第３の連結面ｃの下方を担持し、したがって、側面３が動作的位置から上方に離れて引張られるのを防止する。側面３と底面２との間において伝達されるべき力がより大きい表面において分配され得るこの配列体によれば有利である。
【００２８】
図８は本発明の６番目の変形例を示す。この変形例では、第１の連結面が外側に向かって、すなわちボックスの内側から離れて開口している。側面３は、この変形例において外側から装着される。側面３を折畳むとき、協働する連結面ｃ及び連結面ｄは、側面３が第２の方向ｘ２に引出されるのを防止する。
【００２９】
最後に、図９は本発明の７番目の変形例を示す。第１の連結面ａ及び第４の連結面ｄは凸状の円筒形に形成され、第２の連結面ｂ及び第３の連結面ｃは凹状の円筒形に形成される。図示される断面にはない第４の連結面ｄをより効果的に示すために、側面３は、ここではハッチングによって表されていない。この配列体においては、側面３の、第２の方向ｘ２における引出動作が、協働する第３の連結面ｃ及び第４の連結面ｄによっては直接的に防止されないものの、間接的には、側面３が離れて上方に引張られることがなく、したがってボルトが軸受シェルから飛び出ないようにされる特別な特徴を有する。
【００３０】
ここで、図示される変形例は、本発明に係る思想を実現する多数の可能性の一部のみを表すことに留意されたい。特に、第１の連結面ａ又は第２の連結面ｂと、第３の連結面ｃ又は第４の連結面ｄとの図示される組合せは、いかなる態様においても必須ではない。むしろ他の組合せであってもよい。例えば、図４の第１の連結面ａ及び第２の連結面ｂは、図５の第３の連結面ｃ及び第４の連結面ｄとも組合せられ得る。その他にも、図６の第１の連結面ａ及び第２の連結面ｂが、図４の第３の連結面ｃ及び第４の連結面ｄと組合せられることなどが可能である。最後に、図示される矩形断面の連結面ａ〜ｄに加えて、他の多角形、例えば三角形、五角形、六角形などでもよい。
【００３１】
明示的又は暗示的に与えられた変形例のすべてに共通する利点は、第３の連結面ｃ及び第４の連結面ｄによるロック作用が、従来技術のように端部位置のみにおいてではなく、側面３を持上げたときにおいても有効な点である。図示されるとともに示唆される連結面の包囲角度は、この場合に有利であるものの必須ではない。当業者であれば、要求される所定の具体物に容易に適応できるであろう。本発明は、折畳みボックス１の側面３のうちの１つ又は２つ以上のみに適用してもよい。
【００３２】
最後に、本発明に係る構成要素は、公知のプラスチックを使用して射出成形技術によって好適に形成され得ることに留意されたい。しかしながら、他の材料、特に種々の異なる材料も当然に使用できる。例えば、第１の連結面ａ及び第２の連結面ｂは、それら連結面が比較的高度の応力にさらされるので、金属から形成されてもよい。しかしながら、折畳みボックス１が金属から完全に形成されてもよい。
【００３３】
さらに、底面２及び側面３の長手方向側部における本発明に係る構成要素の配列は、図２ａ及び図２ｂに示される形態にいかなる態様にも関連付けられない。図示されるヒンジは、任意の数が使用され得る。さらに、各ボルトの代わりに、側面の全長にわたって延在する連続する軸、特に金属製の軸であってもよい。
【００３４】
最後に、形式的な点として、折畳みボックス１の構造のより良い理解のために、折畳みボックス１及びその構成要素は、部分的に実際の縮尺で図示されておらず、寸法が拡大されているか、又は縮小されているか、或いはその両方であることに留意されたい。
【００３５】
本発明に係る独立した解決手段によって対処される問題は、明細書の記載から理解され得る。
図１から図９に示される個々の実施形態は、主として、本発明に係る独立した解決手段の主題を構成し得る。本発明に係る目的及び該目的に関連する解決手段は、詳細な説明及び図面から理解され得る。
【符号の説明】
【００３６】
１    折畳みボックス
２    底面
３    側面
ａ    第１の連結面
ｂ    第２の連結面
ｃ    第３の連結面
ｄ    第４の連結面
ｘ１    第１の方向
ｘ２    第２の方向
ｚ    軸線
【図１】
2012532810.tif 000003
【図２ａ】
2012532810.tif 000004
【図２ｂ】
2012532810.tif 000005
【図３ａ】
2012532810.tif 000006
【図３ｂ】
2012532810.tif 000007
【図３ｃ】
2012532810.tif 000008
【図４】
2012532810.tif 000009
【図５】
2012532810.tif 000010
【図６】
2012532810.tif 000011
【図７】
2012532810.tif 000012
【図８】
2012532810.tif 000013
【図９】
2012532810.tif 000014
【国際調査報告】
2012532810.tif 000015
2012532810.tif 000016
2012532810.tif 000017
2012532810.tif 000018
2012532810.tif 000019